(57)【要約】【課題】手摺りブラケットのブラケット本体の開口部を塞ぐように取り付けられるカバー体をブラケット本体から取り外すことができるようにするための機構を目立たなくすることにより、外観を美しくできるようにした手摺りブラケットを提供すること。【解決手段】ブラケット本体１のカバー体２と対向する面部１３に操作部材３を挿入するための小孔１４を形成し、この小孔１４に挿入した操作部材３の先端によってカバー体２の背面を押圧操作することで、カバー体２に形成した係止爪２１の係止状態を解除して、カバー体２をブラケット本体１から取り外すようにする。【選択図】図１
2019023383.tif 000002
【特許請求の範囲】
【請求項１】
手摺り棒を取り付ける第１の取付部及びブラケット本体を固定側に取り付ける第２の取付部を備え、該両取付部に適用する固着部材の操作を行うための開口部を形成したブラケット本体と、前記開口部を塞ぐように取り付けられるカバー体とを備え、該カバー体を、ブラケット本体に対して、カバー体に形成した係止爪によって、係止するようにした手摺りブラケットにおいて、前記ブラケット本体のカバー体と対向する面部に操作部材を挿入するための小孔を形成し、該小孔に挿入した操作部材の先端によってカバー体の背面を押圧操作できるようにしたことを特徴とする手摺りブラケット。
【請求項２】
前記係止爪を、カバー体の対向する端縁の近傍位置の２箇所に設けた係止片の少なくとも一方に形成し、前記小孔を、２つの係止片を結ぶ線上の位置と対向する面部に形成するようにしたことを特徴とする請求項１に記載の手摺りブラケット。
【発明の詳細な説明】
【技術分野】
【０００１】
本発明は、廊下や階段等の壁面に手摺り棒を設置するために用いられる手摺りブラケットに関するものである。
【背景技術】
【０００２】
従来、廊下や階段等の壁面に手摺り棒を設置するために、手摺り棒の両端部にそれぞれ配設することで手摺り棒を保持して、ビス等の固着部材により壁面に固定するようにした手摺りブラケットが用いられている。
【０００３】
そして、このような手摺りブラケットとして、例えば、固着部材の操作を行うための開口部を形成したブラケット本体と、この開口部を塞ぐように取り付けられるカバー体とを備え、カバー体を、ブラケット本体に対して、カバー体に形成した係止爪によって、係止するようにした手摺りブラケットが提案されている（例えば、特許文献１参照。）。
【先行技術文献】
【特許文献】
【０００４】
【特許文献１】特開２０１０−７０９９４号公報
【発明の概要】
【発明が解決しようとする課題】
【０００５】
ところで、手摺りブラケットのブラケット本体の開口部を塞ぐように取り付けられるカバー体は、メンテナンスの際にブラケット本体から取り外すことができるように、例えば、特許文献１に記載された手摺りブラケットにおいては、ブラケット本体の前面に溝部を形成した溝部にドライバ等の操作部材を挿入して、カバー体に形成した係止爪を操作して、係止状態を解除できるようにしている。
【０００６】
このように、従来の手摺りブラケットは、ブラケット本体の開口部を塞ぐように取り付けられるカバー体をブラケット本体から取り外すことができるようにするための溝部等の機構を備えているが、当該機構がブラケット本体の前面に表れるため、外観を損ねるという問題があった。
【０００７】
本発明は、上記従来の手摺りブラケットの有する問題点に鑑み、手摺りブラケットのブラケット本体の開口部を塞ぐように取り付けられるカバー体をブラケット本体から取り外すことができるようにするための機構を目立たなくすることにより、外観を美しくできるようにした手摺りブラケットを提供することを目的とする。
【課題を解決するための手段】
【０００８】
上記目的を達成するため、本発明の手摺りブラケットは、手摺り棒を取り付ける第１の取付部及びブラケット本体を固定側に取り付ける第２の取付部を備え、該両取付部に適用する固着部材の操作を行うための開口部を形成したブラケット本体と、前記開口部を塞ぐように取り付けられるカバー体とを備え、該カバー体を、ブラケット本体に対して、カバー体に形成した係止爪によって、係止するようにした手摺りブラケットにおいて、前記ブラケット本体のカバー体と対向する面部に操作部材を挿入するための小孔を形成し、該小孔に挿入した操作部材の先端によってカバー体の背面を押圧操作できるようにしたことを特徴とする。
【０００９】
この場合において、前記係止爪を、カバー体の対向する端縁の近傍位置の２箇所に設けた係止片の少なくとも一方に形成し、前記小孔を、２つの係止片を結ぶ線上の位置と対向する面部に形成するようにすることができる。
【発明の効果】
【００１０】
本発明の手摺りブラケットによれば、ブラケット本体のカバー体と対向する面部に操作部材を挿入するための小孔を形成し、小孔に挿入した操作部材の先端によってカバー体の背面を押圧操作することで、カバー体に形成した係止爪の係止状態を解除して、カバー体をブラケット本体から取り外すことができるようにしながら、カバー体に形成した係止爪の係止状態を解除するための機構である小孔を、外観上目立たない位置に形成することで、手摺りブラケットの外観を美しくできる。
【００１１】
また、係止爪を、カバー体の対向する端縁の近傍位置の２箇所に設けた係止片の少なくとも一方に形成し、前記小孔を、２つの係止片を結ぶ線上の位置と対向する面部に形成するようにすることにより、カバー体に形成した係止爪の係止状態を確実に解除することができる。
【図面の簡単な説明】
【００１２】
【図１】本発明の手摺りブラケットの一実施例を示す操作説明図である。
【図２】同手摺りブラケットの断面図である。
【図３】同手摺りブラケットの変形実施例を示す断面図である。
【発明を実施するための形態】
【００１３】
以下、本発明の手摺りブラケットの実施の形態を、図面に基づいて説明する。
【００１４】
図１〜図２に、本発明の手摺りブラケットの一実施例を示す。
この手摺りブラケットは、従来の手摺りブラケットと同様、ブラケット本体１と、ブラケット本体１の開口部１０を塞ぐように取り付けられるカバー体２とからなり、ブラケット本体１は、手摺り棒（図示省略）を取り付ける第１の取付部１１及びブラケット本体１を固定側Ｗに取り付ける第２の取付部１２を備えるとともに、両取付部１１、１２に適用する固着部材４１、４２の操作を行うための開口部１０を形成するようにし、カバー体２は、カバー体２をブラケット本体１に係止するための係止爪２１を備えるようにしている。
【００１５】
そして、この手摺りブラケットは、ブラケット本体１のカバー体２と対向する面部１３に操作部材３を挿入するための小孔１４を形成し、この小孔１４に挿入した操作部材３の先端によってカバー体２の背面を押圧操作することで、カバー体２に形成した係止爪２１の係止状態を解除して、カバー体２をブラケット本体１から取り外すことができるようにしている。
ここで、ブラケット本体１のカバー体２と対向する面部１３の小孔１４が形成される位置は、第１の取付部１１に手摺り棒を取り付けたとき、手摺り棒の背面側に位置することとなるため、手摺り棒の陰に隠れ、外観上目立たない位置となる。
【００１６】
この場合において、取付部１１、１２に適用する固着部材４１、４２には、従来から汎用されているビス、タッピングネジ等の固着部材を用いることができ、各取付部１１、１２には、固着部材４１、４２を挿通するための小孔１１ａ、１２ａを形成するようにしている。
【００１７】
カバー体２の背面を押圧操作する操作部材３を挿入するために、ブラケット本体１の面部１３に形成した小孔１４は、操作部材３、例えば、釘、針金、クリップ、ピン等の線状部材からなる任意の操作部材３を挿入できるように、直径が数ｍｍ程度、具体的には、２〜５ｍｍ程度に設定するようにする。
【００１８】
カバー体２は、合成樹脂や金属製のものからなり、カバー体２をブラケット本体１に係止するための係止爪２１を備えるとともに、操作部材３の先端によってカバー体２の背面を押圧操作したとき、カバー体２が図２に示す矢印の方向に湾曲して変形することで、ブラケット本体１の係止部１５に対するカバー体２に形成した係止爪２１の係止状態を解除できる程度の可撓性を備えるようにする。
【００１９】
ところで、本実施例において、係止爪２１は、カバー体２の対向する端縁の近傍位置の２箇所に設けた係止片２０の両方に形成し、ブラケット本体１の面部１３に形成する小孔１４は、２つの係止片２０を結ぶ線上の位置、好ましくは、２つの係止片２０の中間位置と対向する位置に形成するようにする。
これにより、操作部材３の先端によってカバー体２の背面を押圧操作し、カバー体２が図２に示す矢印の方向に湾曲して変形することで、ブラケット本体１の係止部１５に対するカバー体２に形成した係止爪２１の係止状態を確実に解除することができる。
【００２０】
ここで、係止爪２１は、図３に示す変形実施例のように、カバー体２の対向する端縁の近傍位置の２箇所に設けた係止片２０のいずれか一方にのみ形成し、他方の係止片２０には係止爪を形成せず、ブラケット本体１に対するカバー体２の取付状態を安定させる機能を持たせるようにすることもできる。
このように、係止爪２１を係止片２０のいずれか一方にのみ形成した場合は、係止爪２１を形成していない係止片２０側が外れやすいので、小孔１４は、２つの係止片２０を結ぶ線上の位置、好ましくは、できるだけ係止爪２１を形成していない係止片２０側に寄った位置と対向する位置に形成するようにする。
【００２１】
また、係止爪２１を形成した端縁と直交する方向に延びる端縁には、位置決め片２２を形成することで、ブラケット本体１に対するカバー体２の取付状態が安定するようにしている。
【００２２】
この手摺りブラケットによれば、ブラケット本体１のカバー体２と対向する面部１３に操作部材３を挿入するための小孔１４を形成し、この小孔１４に挿入した操作部材３の先端によってカバー体２の背面を押圧操作したとき、カバー体２が図２に示す矢印の方向に湾曲して変形することで、ブラケット本体１の係止部１５に対するカバー体２に形成した係止爪２１の係止状態を解除して、カバー体２をブラケット本体１から取り外すことができるようにしながら、カバー体２に形成した係止爪２１の係止状態を解除するための機構である操作部材３を挿入するための小孔１４を、外観上目立たない位置に形成することで、手摺りブラケットの外観を美しくできる。
【００２３】
以上、本発明の手摺りブラケットについて、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の手摺りブラケットは、手摺りブラケットのブラケット本体の開口部を塞ぐように取り付けられるカバー体をブラケット本体から取り外すことができるようにするための機構を目立たなくすることにより、外観を美しくできることから、廊下や階段等の壁面に手摺り棒を設置するために用いられる手摺りブラケットの用途に好適に用いることができる。
【符号の説明】
【００２５】
１  ブラケット本体
１０  開口部
１１  第１の取付部
１２  第２の取付部
１３  面部
１４  小孔
１５  係止部
２  カバー体
２０  係止片
２１  係止爪
２２  位置決め片
３  操作部材
４１  固着部材
４２  固着部材
Ｗ  固定側
【図１】
2019023383.tif 000003
【図２】
2019023383.tif 000004
【図３】
2019023383.tif 000005